(57)【要約】      （修正有）【課題】愛玩動物の爪を便利で安全に切れ、且つ切った爪を衛生的に処理することのできる動物用の爪切りを提供する。【解決手段】  シャフト状のボディー２と、このボディー２の前方に配置され、一側面には動物の爪を挿入する爪挿入口１２が形成されたヘッド部３と、前記ヘッド部３の内部に装着される固定カッター５とスプリング８に弾性的に支持され、ヒンジ軸７に軸支持される回動カッター６からなったカッター器具と、前記回動カッター６に連結されヘッド部３の底面一側面の周端部に形成された開口部９を通して外部に傾くように下向きに延長される操作レバー１１と、ヘッド部３において、前記爪の挿入口１２と反対側に形成され、爪の挿入深さを規制するようにヘッド部３に螺合される調節ボルト１４を含むのを特徴とする動物用の爪切りが提供される。【選択図】    図５
2006061667.tif 000002
【特許請求の範囲】
【請求項１】
シャフト状のボディー（２）と、このボディー（２）の前方に配置され一側面には動物の爪を挿入する爪挿入口（１２）が形成されたヘッド部（３）と、前記ヘッド部（３）の内部に装着される固定カッター（５）とスプリング（８）に弾性的に支持されヒンジ軸（７）に軸支持される回動カッター（６）からなったカッター器具と、前記回動カッター（６）に連結されヘッド部（３）の底面一側面の周端部に形成された開口部（９）を通して外部に傾くように下向きに延長される操作レバー（１１）と、ヘッド部（３）において前記爪の挿入口（１２）と反対側に形成され、爪の挿入深さを規制するようにヘッド部（３）に螺合される調節ボルト（１４）を含むのを特徴とする動物用の爪切り。
【請求項２】
前記ボディー（２）のヘッド部（３）には前記カッター（５、６）の一側面に近接配置され前記操作レバー（１１）が通過する開口部（９）と前記固定カッター（５）及び回動カッター（６）の刃部分が配置された空間を区画する隔壁（３２）が形成され、この隔壁（３２）を基準としてヘッド部（３）の前方周端部には爪を排出する排出口（３３）と排出カバー（３４）が備わっていることを特徴とする 請求項１記載の動物爪切り。
【請求項３】
前記ボディー（２）の内部に、ヘッド部（３）に隣接して形成されるバッテリー収納部（１８）と、このバッテリー（１６）に電気的に連結するモーター（２０）と、前記モーター（２０）の回転軸に軸結され、ボディー（２）の開口部（２４）を通し部分的に露出される研磨石（２２）と、前記モーター（２０）を作動するようにボディー（２）の周端に形成されるスイッチ（２６）を含んで、前記バッテリー収納部（１８）を覆うバッテリーカバー（３６）を、前記ボディー（２）のヘッド部（３）を外れた位置に前記排出カバー（３４）と別途に備えていることを特徴とする 請求項１または 請求項２記載の動物用の爪切り。
【発明の詳細な説明】
【技術分野】
【０００１】
本発明は、動物用の爪切りに関し、より詳しくは愛玩動物の爪を便利で安全に切ることができ、且つ切った爪を衛生的に処理することのできる新しい構造の動物用の爪切りに関する。
【背景技術】
【０００２】
本発明者は人間用の爪切りに着目して愛玩動物の爪を便利で、且つ安全に切れるペット用の爪切りを大韓民国実用新案登録２０００-９５０５３７５号に提案した。図１と図２は、このような従来のペット用の爪切り（１）の構造を示す。 図示の通り、シャフト状のボディー（２）の前方のヘッド部（３）には一対のカッター（５、６）を備える。このようなカッター（５、６）の中の固定カッター（５）はボディー（２）内に装着され、回動カッター（６）はスプリング（８）に弾性的に支持され、ヒンジ軸（７）に軸結される。この回動カッター（６）はボディー（２）の上面に開放された開口部（５）を通じて延在する親指レバー（１０）により回動するように構成される。そして、このボディー（２）のヘッド部（３）の一側面には動物の爪部位を挿入する爪挿入口（１２）が形成され、この爪挿入口（１２）の他側面には爪の深入りを規制するようにボディー（２）に螺合する調節ボルト（１４）が備わる。
【０００３】
一方、このボディー（２）のヘッド部（３）に隣接する中央部の内部にはバッテリー（１６）が収納されるバッテリー収納部（１８）が形成され、このバッテリー（１６）に電気的に連結されるモーター（２０）がボディー（２）に内蔵され、ボディー（２）の後端にはモーター（２０）の回転軸に軸結される研磨石（２２）がボディー（２）後端に形成された開口部（２４）を通じて部分的に露出される。そして、ボディー（２）の外周面の一側面には前記モーター（２０）を作動するスイッチ（２６）が配置される。また、ボディー（２）のヘッド部（３）とバッテリー収納部（１８）を同時に覆うカバー（１９）が備わる。
【０００４】
このような構造によって、使用者はボディー（２）の一側面の調節ボルト（１４）の突出長さを適切に調整した後、爪挿入口（１２）に動物の爪を挿入して固定カッター（５）と回動カッター（６）の間に押し入れた後、親指レバー（１０）で押して回動カッター（６）を回動して足の爪を切る。続いて、切った爪を磨くために、爪をボディー（２）の後端開口部（２４）に当てスイッチ（２６）を操作し、研磨石（２２）を回転作動すると、爪が磨かれ、滑らかに手入れができる。
【０００５】
ところが、かかる従来の動物用の爪切りは、図１に図示されているように シャフト状のボディー（２）を手で握って、ボディー（２）の上部から人間用の爪切りのように傾斜延在する親指レバー（１０）を親指で押すようになっていて、大型犬のような爪が厚くて硬い動物に対して親指だけの力で押して爪を切ろうとするとかなり力が必要で、よく切れないという問題点があった。
【０００６】
また、従来には切った爪がボディー（２）のヘッド部（３）の内部に収納されるが、この爪が、親指レバー（１０）が通過され、回動される開口部（４）を通し外部に流出され、爪が周辺に飛び散って非衛生的になる問題点があった。そして、従来の爪切りはバッテリー収納部（１８）を覆うカバー（１９）がボディー（２）のヘッド部（３）を同時に覆うようになっていて、バッテリー（１６）を交換するためにカバー（１９）を開くと、爪が飛び散ることもあり、逆に爪を除去するためにカバー（１９）を開けばバッテリー（１６）が落ちるなどの不便があった。
【発明の開示】
【発明が解決しようとする課題】
【０００７】
本発明は、前述した通り従来の動物の爪切りの問題点に鑑みてなされたものであり、本発明は動物の爪を余計な力を入れないで便利で安全に切れ、切った爪が外部に流出されず、爪を衛生的に処理できて周辺環境を清潔に維持することのできる新しい構造の動物用爪切りの提供にある。
【課題を解決するための手段】
【０００８】
本発明では、 シャフト状のボディー（２）と、このボディー（２）の前方に配置され一側には動物の爪を挿入する爪挿入口（１２）が形成されたヘッド部（３）と、前記ヘッド部（３）の内部に装着される固定カッター（５）とスプリング（８）に弾性的に支持され、ヒンジ軸（７）に軸支持される回動カッター（６）からなったカッター器具と、前記回動カッター（６）に連結されヘッド部（３）の底面一側面の周端部に形成された開口部（９）を通して外部に傾くように下向きに延長される操作レバー（１１）と、ヘッド部（３）において前記爪の挿入口（１２）と反対側に形成され、爪の挿入深さを規制するようにヘッド部（３）に螺合される調節ボルト（１４）を含むのを特徴とする動物用の爪切りが提供される。
【０００９】
本発明の他の特徴によると、前記ボディー（２）のヘッド部（３）には前記カッター（５、６）の一側面に近接配置され、前記操作レバー（１１）が通過する開口部（９）と前記固定カッター（５）及び回動カッター（６）の刃部分が配置された空間を区画する隔壁（３２）が形成され、この隔壁（３２）を基準としてヘッド部（３）の前方周端部には足の爪を排出する排出口（３３）と排出カバー（３４）が備わっていることを特徴とする動物爪切りが提供される。
【００１０】
本発明の他の特徴によると、前記ボディー（２）の内部に、ヘッド部（３）に隣接して形成されるバッテリー収納部（１８）と、このバッテリー（１６）に電気的に連結するモーター（２０）と、前記モーター（２０）の回転軸に軸結され、ボディー（２）の開口部（２４）を通し部分的に露出される研磨石（２２）と、前記モーター（２０）を作動するようにボディー（２）の周端に形成されるスイッチ（２６）を含んで、前記バッテリー収納部（１８）を覆うバッテリーカバー（３６）を、前記ボディー（２）のヘッド部（３）を外れた位置に前記排出カバー（３４）と別途に備えていることを特徴とする動物用の爪切りが提供される。
【発明の効果】
【００１１】
本発明によると、動物用の爪切りで操作レバー（１１）をボディーの下部で傾くように延長させて親指を除いた四つの指または人差し指、中指、薬指などの指で握って操作できるので、手にするにも容易で相対的に力を入れて作動しえるので、大型犬のような動物の爪が太くて硬い場合でも容易に切断できる。また、切断された爪が収納されるヘッド部（３）でカッター（５、６）の刃部分と操作レバー（１１）が貫通する後方開口部（９）との間を隔壁（３２）で遮断することで、切った爪が開口部（９）を通して流出されるのを防止するので、衛生的に周辺を清潔に維持する。
【００１２】
また、別途の爪の排出用排出口（３３）と排出カバー（３４）をヘッド部（３）の前方に配置し、バッテリー収納部（１８）用のバッテリーカバー（３６）はヘッド部（３）でない位置に配置することで、切った爪と使い尽くしたバッテリーを個別的に排出できるので便利である。
【発明を実施するための最良の形態】
【００１３】
以下に図面を参照しながら本発明の好ましい実施形態を説明する。図３と図４は本発明の実施形態の正面図と背面図であり、図５はその断面図である。図示の通り、 シャフト状のボディー（２）の先端部に略ラウンド状になった形状のヘッド部（３）が区画になって構成されて、このヘッド部（３）には固定カッター（５）と回動カッター（６）からなるカッター器具が備えられる。前記回動カッター（６）はヒンジ軸（７）に軸支持されトーションスプリングのようなスプリング（８）が弾性的に支持され、一側面には操作レバー（１１）が装着される。この操作レバー（１１）はヘッド部（３）の底面一側面に形成された開口部（９）を通し シャフト状のボディー（２）に対して傾いて下向きに延長される。このとき、前記操作レバー（１１）の長さは十分長く延びて、 シャフト状のボディー（２）は手の平で取り握って、操作レバー（１１）は親指を除いたあとの四つの指、或いは親指と小指を除いた人差し指及び薬指の三つの指で硬く握って簡便に操作できるようにする。
【００１４】
前記の固定カッター（５）と回動カッター（６）が収納されるヘッド部（３）の一側面には動物の足爪が挿入される爪挿入口（１２）が形成される。そして、ヘッド部（３）において、爪挿入口（１２）と反対側に動物の爪の挿入深さを規制するための調節ボルト（１４）が螺合される。この調節ボルト（１４）を調節してヘッド部（３）の内部に更に突出させると、この調節ボルト（１４）の先端部にあたる動物の爪の挿入深さは短くなって、調節ボルト（１４）を後退させると動物の爪の挿入深さは長くなる。
【００１５】
一方、ボディー（２）のヘッド部（３）内にはカッター（５、６）により切った爪が外部に流出しないようにする隔壁（３２）が形成される。この隔壁（３２）はカッター（５、６）の一側面に近接配置されるが、操作レバー（１１）が通過する開口部（９）とカッター（５、６）の刃部分を区画するように、ヘッド部（３）の中間に配置される。そして、この隔壁（３２）を重心としたヘッド部（３）の前方周りには切った爪を排出する排出口（３３）と排出カバー（３４）が備わる。このような構成によって、前記隔壁（３２）によって切った爪がヘッド部（３）の後方の開口部（９）に流出することが遮断され、ヘッド部（３）前方の排出口（３３）及び排出カバー（３４）を通し所望の時期に排出することができる。
【００１６】
そして、ボディー（２）の中央部にはヘッド部（３）と隔離されたバッテリー収納部（１８）を備えており、バッテリー（１６）を着脱可能に挿入する。このバッテリー収納部（１８）の一側面にはモーター（２０）が備わって、このモーター（２０）には研磨石（２２）が軸結される。この研磨石（２２）はボディー（２）の後端部の開口部（２４）を通し露出されるので、動物の爪を尖らないように磨くことができる。前記モーター（２０）はボディー（２）の上面のスイッチ（２６）により電源が印加され作動し、または遮断され止まるようになる。この時、バッテリー収納部（１８）を覆うバッテリーカバー（３６）はヘッド部（３）から外れた位置に別途に備わる。したがって、バッテリーカバー（３６）を開いても、その内部に収納の切った爪が流出することが防止される。
【図面の簡単な説明】
【００１７】
【図１】従来の動物用の爪切りの外観図
【図２】前記動物用の爪切りの断面図
【図３】本発明に係る実施形態の動物用の爪切りの正面図
【図４】本発明に係る実施形態の動物用の爪切りの背面図
【図５】前記実施形態の動物用の爪切りの断面図
【符号の説明】
【００１８】
２    シャフト
３    ヘッド部
５    固定カッター
６    回動カッター
９    開口部
１１  操作レバー
１６  バッテリー収納部
２０  モーター
２４  研磨石
３２  隔壁
３３  排出口
３４  排出カバー
３６  バッテリーカバー
【図１】
2006061667.tif 000003
【図２】
2006061667.tif 000004
【図３】
2006061667.tif 000005
【図４】
2006061667.tif 000006
【図５】
2006061667.tif 000007